(57)【要約】      （修正有）【課題】購入する費用を低減でき、使用が便利になり、且つ化粧ペンの使用時の長さが大幅に短縮し、スペースを有効に利用することができる。【解決手段】締結スリーブ１０と、案内素子２０と、第一ペン・チューブ３０と、第二ペン・チューブ４０と、第一伝動組５０と、第二伝動組６０とから構成される化粧ペンにおいて、前記締結スリーブは中空であり、前記案内素子は、締結スリーブを枢着し貫通し、且つその中央には一つの貫通孔が開設してあり、前記貫通孔の両端には第一内ねじ穴および第二内ねじ穴が設けてあり、前記第一内ねじ穴の口径は第二内ねじ穴よりも大きく、第一ペン・チューブと第二ペン・チューブとは、中空であり、両者の一端は前記案内素子の両端の外周にそれぞれ枢着し定位され、且つ前記締結スリーブの内面にそれぞれ収容され、前記締結スリーブが両者のうちの一つと連結することを特徴とする化粧ペン。【選択図】図２
0003109420.tif 000002
【実用新案登録請求の範囲】
【請求項１】
締結スリーブと、案内素子と、第一ペン・チューブと、第二ペン・チューブと、第一伝動組と、第二伝動組とから構成される化粧ペンにおいて、
前記締結スリーブは中空であり、
前記案内素子は、締結スリーブを枢着し貫通し、且つその中央には一つの貫通孔が開設してあり、前記貫通孔の両端には第一内ねじ穴および第二内ねじ穴が設けてあり、前記第一内ねじ穴の口径は第二内ねじ穴よりも大きく、
第一ペン・チューブと第二ペン・チューブとは、中空であり、両者の一端は前記案内素子の両端の外周にそれぞれ枢着し定位され、且つ前記締結スリーブの内面にそれぞれ収容され、前記締結スリーブが両者のうちの一つと連結し、
前記第一伝動組は、第一ペン・チューブ内に設けられ、且つ一つの第一外ねじチューブが設けてあり、前記第一外ねじチューブが案内素子にある第一内ねじ穴と螺合し、且つ一つの第一定位素子が設けてあり、第一外ねじチューブが前記第一定位素子に案内されて軸方向に移動され、なお、第一外ねじチューブの案内素子と反対する側には一つの第一ピストンが設けてあり、
前記第二伝動組は、第二ペン・チューブ内に設けられ、且つ一つの第二外ねじチューブが設けてあり、前記第二外ねじチューブが案内素子にある第二内ねじ穴と螺合し、且つ前記第二内ねじ穴の一部が第一内ねじチューブの貫通孔を挿通し収容され、且つ一つの第二定位素子が設けてあり、第二外ねじチューブが前記第二定位素子に案内されて軸方向に移動され、なお、第二外ねじチューブの案内素子と反対する側には一つの第二ピストンが設けてあることを特徴とする、
化粧ペン。
【請求項２】
前記締結スリーブの中段には第一歯面が内側へ突出し、且つ前記案内素子の中段の外周には前記第一歯面と噛合う第一外歯部が設けてあり、前記第一ペン・チューブと第二ペン・チューブとは、その一端がそれぞれ案内素子にある第一外歯部の両端の外周に枢着し定位され、且つそれぞれ締結スリーブの内面に収容され、前記締結スリーブが両者のうちの一つの第二外歯部と噛合い、なお、第一ペン・チューブの締結スリーブと対応する一端には第二外歯部と拘束リング部とが順序に設けてあり、前記拘束リング部の口径は第二外歯部の歯元部の直径よりも小さく、前記締結スリーブの第一歯面が前記拘束リング部と案内素子にある第一外歯部との間に位置することを特徴とする、請求項１に記載の化粧ペン。
【請求項３】
前記第一ペン・チューブ内には収容空間が開設してあり、前記収容空間の内壁面には第二歯面が設けてあり、なお、第一伝動組の第一外ねじチューブの外周には軸方向に沿って少なくとも一つの案内レールが設けてあり、且つ第一伝動組にはリング状の第一定位素子が設けてあり、前記第一定位素子が第一外ねじチューブの外周に嵌めてあり、且つ第一定位素子の外周には歯面が設けてあり、第一定位素子の内壁面には少なくとも一つの案内ブロックが設けてあり、前記案内ブロックが第一外ねじチューブにある案内レール内にそれぞれ収容され摺動可能になることを特徴とする、請求項１に記載の化粧ペン。
【考案の詳細な説明】
【技術分野】
【０００１】
本考案は化粧用品に係り、特に化粧機能が二つあり、且つ体積と製造コストとが低減でき、化粧液の消耗も低減になる化粧ペンに関するものである。
【背景技術】
【０００２】
図６と図７に示すのは、従来の化粧ペンであり、該化粧ペンは、一つのペン・チューブ７０を有し、前記ペン・チューブ７０内には化粧液を収容するための内孔７１が開設してあり、ペン・チューブ７０の中段と末端に近接する箇所には、断面が多辺形を呈する収容段７２と溝７３とがそれぞれ設けてあり、且つペン・チューブ７０の前記溝７３と反対する側には化粧液を引き出すためのペン・ヘッド７４が固定し設けてあり、なお、ペン・ヘッド７４の外周にはペン・キャップ７５が嵌めてあり、且つペン・キャップ７５の一端がペン・チューブ７０の外周をしっかりと嵌めてあり、また、ペン・チューブ７０内には軸方向に沿って移動可能な作動ロッド７６が嵌め設けてあり、前記作動ロッド７６の外周面には外ねじ段７７が設けてあり、収容段７２内には前記作動ロッド７６と対応し収容段７２に沿って移動可能な押上プラグ７８が設けてあり、且つ前記押上プラグ７８は、一端が収容段７２をしっかりと嵌合してあり、なお、ペン・チューブ７０を密封し作動ロッドに向く他端には旋回柄８０が設けてあり、前記旋回柄８０の一端には中空な駆動チューブ８１が設けてあり、前記駆動チューブ８１は、ペン・チューブ７０内に収容され、作動ロッド７６にある外ねじ段７７の外周に嵌め設けてあり、且つ駆動チューブ８１内には作動ロッド７６にある外ねじ段と噛合う内ねじ穴８２が設けてあり、前記駆動チューブ８１にはペン・チューブ７０内にある溝７３と対応する凸縁８３が嵌合してあることにより、前記旋回柄８０がペン・チューブ７０に定位される。
【０００３】
使用時には、図２に示すように、まずペン・キャップ７５を取外して旋回柄８０を旋回することにより、駆動チューブ８１が作動ロッド７６を駆動して、作動ロッド７６にある押上プラグ７８がペン・チューブ７０にある収容段７２内に制限されて、作動ロッド７６が収容段７２に沿って軸方向へ移動し、ひいては化粧液が押上プラグ７８に押されてペン・ヘッド７４へ流動し、これにより、使用者が化粧を実施することができる。
【考案の開示】
【考案が解決しようとする課題】
【０００４】
従来の化粧ペンは、化粧液が単一であり、化粧の機能は単一であるので、多種の化粧機能が必要な場合には、多数本の化粧ペンを使用することが必要になり、極めて不便であり、購入する費用も向上し、且つ収納空間も増加する。
【０００５】
本考案の主な目的は、一本の化粧ペンで、二種類の化粧機能を持つと共に、構造設計により収納空間を節約することができ、使用が便利になり、購入する費用が低減できる化粧ペンを提供することにある。
【課題を解決するための手段】
【０００６】
上記目的を達成するためになされた本願の考案は、締結スリーブと、案内素子と、第一ペン・チューブと、第二ペン・チューブと、第一伝動組と、第二伝動組とから構成される化粧ペンにおいて、前記締結スリーブは中空であり、前記案内素子は、締結スリーブを枢着し貫通し、且つその中央には一つの貫通孔が開設してあり、前記貫通孔の両端には第一内ねじ穴および第二内ねじ穴が設けてあり、前記第一内ねじ穴の口径は第二内ねじ穴よりも大きく、第一ペン・チューブと第二ペン・チューブとは、中空であり、両者の一端は前記案内素子の両端の外周にそれぞれ枢着し定位され、且つ前記締結スリーブの内面にそれぞれ収容され、前記締結スリーブが両者のうちの一つと連結し、前記第一伝動組は、第一ペン・チューブ内に設けられ、且つ一つの第一外ねじチューブが設けてあり、前記第一外ねじチューブが案内素子にある第一内ねじ穴と螺合し、且つ一つの第一定位素子が設けてあり、第一外ねじチューブが前記第一定位素子に案内されて軸方向に移動され、なお、第一外ねじチューブの案内素子と反対する側には一つの第一ピストンが設けてあり、前記第二伝動組は、第二ペン・チューブ内に設けられ、且つ一つの第二外ねじチューブが設けてあり、前記第二外ねじチューブが案内素子にある第二内ねじ穴と螺合し、且つ前記第二内ねじ穴の一部が第一内ねじチューブの貫通孔を挿通し収容され、且つ一つの第二定位素子が設けてあり、第二外ねじチューブが前記第二定位素子に案内されて軸方向に移動され、なお、第二外ねじチューブの案内素子と反対する側には一つの第二ピストンが設けてあることを特徴とする化粧ペンであることを要旨としている。
【０００７】
本願の考案では、前記締結スリーブの中段には第一歯面が内側へ突出し、且つ前記案内素子の中段の外周には前記第一歯面と噛合う第一外歯部が設けてあり、前記第一ペン・チューブと第二ペン・チューブとは、その一端がそれぞれ案内素子にある第一外歯部の両端の外周に枢着し定位され、且つそれぞれ締結スリーブの内面に収容され、前記締結スリーブが両者のうちの一つの第二外歯部と噛合い、なお、第一ペン・チューブの締結スリーブと対応する一端には第二外歯部と拘束リング部とが順序に設けてあり、前記拘束リング部の口径は第二外歯部の歯元部の直径よりも小さく、前記締結スリーブの第一歯面が前記拘束リング部と案内素子にある第一外歯部との間に位置することを特徴とする請求項１に記載の化粧ペンであることを要旨としている。
【０００８】
本願の考案では、前記第一ペン・チューブ内には収容空間が開設してあり、前記収容空間の内壁面には第二歯面が設けてあり、なお、第一伝動組の第一外ねじチューブの外周には軸方向に沿って少なくとも一つの案内レールが設けてあり、且つ第一伝動組にはリング状の第一定位素子が設けてあり、前記第一定位素子が第一外ねじチューブの外周に嵌めてあり、且つ第一定位素子の外周には歯面が設けてあり、第一定位素子の内壁面には少なくとも一つの案内ブロックが設けてあり、前記案内ブロックが第一外ねじチューブにある案内レール内にそれぞれ収容され摺動可能になることを特徴とする請求項１に記載の化粧ペンであることを要旨としている。
【考案の効果】
【０００９】
本考案に係る化粧ペンによれば、次のような効果がある。
（イ）二種類の化粧機能を有するので、購入する費用を低減でき、且つ使用が便利になる。
【００１０】
（ロ）第一伝動組と第二伝動組とにある第一外ねじチューブと第二外ねじチューブは相互に嵌合し使用することができるので、化粧ペンの使用時の長さが大幅に短縮し、且つ二方向に使用することができるので、スペースを有効に利用することができる。
【考案を実施するための最良の形態】
【００１１】
以下、添付図面を参照して本考案の好適な実施の形態を詳細に説明する。
【００１２】
まず、図１乃至図３を参照する。本考案に係る化粧ペンは、締結スリーブ１０と、案内素子２０と、第一ペン・チューブ３０と、第二ペン・チューブ４０と、第一ペン・ヘッド３４と、第二ペン・ヘッド４４と、第一ペン・キャップ３５と、第二ペン・キャップ４５と、第一伝動組５０と、第二伝動組６０とから構成されたものである。
【００１３】
前記締結スリーブ１０は、中空であり、その中段には第一歯面１１が内側へ突出する。
【００１４】
前記案内素子２０は、締結スリーブ１０を挿通し枢着してあり、二つの部品を溶接してなるものであり、且つその中段の外周には前記第一歯面１１と噛合う第一外歯部２１が設けてあり、その二つの端縁には非円形のリング状を呈する第一嵌合溝２４と第二嵌合溝２５とがそれぞれ窪んで設けてあり、且つその中央には第一嵌合溝２４と第二嵌合溝２５とを貫通する貫通孔２２が開設してあり、前記貫通孔２２の第一嵌合溝２４と対応する内側には第一内ねじ穴２３が設けてあり、前記貫通孔２２の第二嵌合溝２５と対応する内側には第二内ねじ穴２６が設けてあり、前記第一内ねじ穴２３の口径は第二内ねじ穴２６よりも大きい。
【００１５】
第一ペン・チューブ３０と第二ペン・チューブ４０とは、中空であり、両者の一端は前記案内素子２０にある第一外歯部２１の両端の外周にそれぞれ枢着し定位され、且つ前記締結スリーブ１０の内面にそれぞれ収容され、前記締結スリーブが両者のうちの一つと連結し、第一ペン・チューブ３０の締結スリーブ１０と対応する一端には第二外歯部３１が設けてあり、第二ペン・チューブ４０の締結スリーブ１０と対応する一端には第二外歯部４１が設けてあることにより、締結スリーブ１０の第一歯面が第一ペン・チューブ３０又は第二ペン・チューブ４０の第二外歯部３１，４１と噛合うことができ、第一ペン・チューブ３０と第二ペン・チューブ４０との内部には収容空間３３，４３がそれぞれ開設してあり、収容空間３３，４３の第二外歯部３１，４１に向く一端には第二歯面３２，４２がそれぞれ設けてある。
【００１６】
前記第一ペン・ヘッド３４と第二ペン・ヘッド４４とは、それぞれ第一ペン・チューブ３０と第二ペン・チューブ４０とに設置される。
【００１７】
前記第一ペン・キャップ３５と第二ペン・キャップ４５とは、それぞれ第一ペン・ヘッド３４と第二ペン・ヘッド４４との外周面をカバーし、且つその一端がそれぞれ第一ペン・チューブ３０と第二ペン・チューブ４０とをしっかりと嵌合する。
【００１８】
第一ペン・チューブ３０の内部に設けられる前記第一伝動組５０は、第一外ねじチューブ５１と、第一止め素子５７と、第一ピストン５３と、第一定位素子５５とを含む。
【００１９】
前記第一外ねじチューブ５１は、外ねじを有し、案内素子２０にある第一内ねじ穴２３にねじ込まれ、且つその内部に貫通孔５２が開設しており、その外周には案内レール５４が軸方向に沿って設けられる。
【００２０】
前記第一止め素子５７は、リング状を呈し、第一外ねじチューブ５１の外周面に嵌められ、且つ案内素子２０にある第一嵌合溝２４内に嵌合され、その外周面には第一嵌合溝２４と嵌合する定位部５７０が複数に突設してあり、なお、その一端面には案内素子２０から突出した戻り止め部５７１が設けてある。
【００２１】
前記第一ピストン５３は、第一外ねじチューブ５１の第一止め素子５７と反対する一端に嵌めて固定される。
【００２２】
前記第一定位素子５５は、第一外ねじチューブ５１の外周面に嵌めてあり、且つ第一止め素子５７と第一ピストン５３との間に位置し、その外周面には歯面が設けてあり、且つその外周面が第一ペン・チューブ３０にある第二歯面３２に噛合い、その第一止め素子５７と対応する一面には内戻り止め部５５０が設けてあり、前記内戻り止め部５５０は、その内壁面には戻り止めが複数に設けてあり、第一止め素子５７の戻り止め部５７１と相互に噛合うことにより、第一定位素子５５と第一止め素子５７とが片方向に旋回可能になり、且つ第一定位素子５５の内壁面には二つの案内ブロック５６が対向に設けてあり、前記案内ブロック５６が第一外ねじチューブ５１にある案内レール５４内にそれぞれ収容され摺動可能になることにより、第一外ねじチューブ５１が制限されて直線に移動する。
【００２３】
第二ペン・チューブ４０の内部に設けられる前記第二伝動組６０は、第二外ねじチューブ６１と、第二止め素子６６と、第二ピストン６２と、第二定位素子６４とを含む。
【００２４】
前記第二外ねじチューブ６１は、外ねじを有し、案内素子２０にある第二内ねじ穴２６にねじ込まれ、且つその内部に貫通孔５２が開設しており、その一段が第一外ねじチューブ５１にある貫通孔５２内に挿入することができ、その外周には案内レール６３が軸方向に沿って設けられる。
【００２５】
前記第二止め素子６６は、リング状を呈し、第二外ねじチューブ６１の外周面に嵌められ、且つ案内素子２０にある第二嵌合溝２５内に嵌合され、その外周面には第二嵌合溝２５と嵌合する定位部６６０が複数に突設してあり、なお、その一端面には案内素子２０から突出した戻り止め部６６１が設けてある。
【００２６】
前記第二ピストン６２は、第二外ねじチューブ６１の第二止め素子６６と反対する一端に嵌めて固定される。
【００２７】
前記第二定位素子６４は、第二外ねじチューブ６１の外周面に嵌めてあり、且つ第二止め素子６６と第二ピストン６２との間に位置し、その外周面には歯面が設けてあり、且つその外周面が第二ペン・チューブ４０にある第二歯面４２に噛合い、その第二止め素子６６と対応する一面には内戻り止め部６４０が設けてあり、前記内戻り止め部６４０は、その内壁面には戻り止めが複数に設けてあり、第二止め素子６６の戻り止め部６６１と相互に噛合うことにより、第二定位素子６４と第二止め素子５７とが片方向に旋回可能になり、且つ第二定位素子６４の内壁面には二つの案内ブロック６５が対向に設けてあり、前記案内ブロック６５が第二外ねじチューブ６１にある案内レール６３内にそれぞれ収容され摺動可能になることにより、第二外ねじチューブ６１が制限されて直線に移動する。
【００２８】
使用する時には、図３乃至図５に示すように、例えば第一ペン・ヘッドを使用する場合には、締結スリーブ１０を第二ペン・チューブ４０の方向に移動させ、締結スリーブ１０の第一歯面１１を第二ペン・チューブ４０にある第二外歯部４１に噛合い、これにより、第二ペン・チューブ４０と案内素子２０と締結スリーブ１０とが連結し固定されて旋回できなくなり、また、第一ペン・チューブ３０を旋回し、第一ペン・チューブ３０にある第二歯面３２が第一伝動組５０の第一定位素子５５を駆動し、前記第一定位素子５５の二つの案内ブロック５６が第一外ねじチューブ５１を駆動して旋回し、且つ第一定位素子５５にある内戻り止め部５５０が第一止め素子５７にある戻り止め部５７１と対応して片方向に旋回可能になり、案内素子２０にある第一内ねじ穴２３が第一外ねじチューブ５１と相互に締結し、なお、案内素子２０が旋回できなくなるので、第一外ねじチューブ５１が案内素子２０にある第一内ねじ穴２３に対して軸方向に移動し、ひいては第一ピストン５３を第一ペン・ヘッド３４の方向へ押し、これにより、第一ペン・チューブ３０内の化粧液が圧迫される。
【００２９】
また、第一ペン・チューブ３０を逆方向に旋回する場合には、第一止め素子５７が案内素子２０にある第一嵌合溝２４内に嵌めて固定され、且つ第一定位素子５５にある内戻り止め部５５０は、第一止め素子にある戻り止め部５７１と相互に係合し、逆方向に旋回することができなく、これにより、第一外ねじチューブ５１の移動方向が制限され、且つ第一定位素子５５と案内素子２０の結合強度が向上し、使用者が間違った方向へ旋回することを回避でき、使用効果も向上する。また、上記の操作方式は第二ペン・ヘッド４４にも適用でき、これにより、本考案に係る化粧ペンは二つのペン・ヘッドを使用することができる。
【産業上の利用可能性】
【００３０】
以上、説明したように、本考案に係る化粧ペンによれば、次のような効果がある。これにより市場の拡大が期待できる。
（イ）二種類の化粧機能を有するので、購入する費用を低減でき、且つ使用が便利になる。
（ロ）第一伝動組と第二伝動組とにある第一外ねじチューブと第二外ねじチューブは相互に嵌合し使用することができるので、化粧ペンの使用時の長さが大幅に短縮し、且つ二方向に使用することができるので、スペースを有効に利用することができる。
【図面の簡単な説明】
【００３１】
【図１】本考案の斜視図である。
【図２】本考案の分解斜視図である。
【図３】本考案の組合状態の断面図である。
【図４】本考案の動作を示す断面図である。
【図５】図４の一部の拡大図である。
【図６】従来のものの分解斜視図である。
【図７】従来のものの組合状態の断面図である。
【符号の説明】
【００３２】
１０      締結スリーブ            
１１      第一歯面
２０      案内素子                
２１      第一外歯部
２２      貫通孔                  
２３      第一内ねじ穴
２４      第一嵌合溝              
２５      第二嵌合溝
２６      第二内ねじ穴            
３０      第一ペン・チューブ
３１，４１      第二外歯部
３２，４２      第二歯面
３３，４３      収容空間
３４      第一ペン・ヘッド        
３５      第一ペン・キャップ
４０      第二ペン・チューブ      
４４      第二ペン・ヘッド
４５      第二ペン・キャップ      
５０      第一伝動組
５１      第一外ねじチューブ      
５２      貫通孔
５３      第一ピストン
５４，６３      案内レール
５５      第一定位素子
５５０，６４０  内戻り止め部
５７      第一止め素子            
６０      第二伝動組
６１      第二外ねじチューブ      
６２      第二ピストン
６４      第二定位素子            
６６      第二
７０      ペン・チューブ          
７１      内孔
７２      収容段                  
７３      溝
７４      ペン・ヘッド            
７５      ペン・キャップ
７６      作動ロッド              
７７      螺旋
７８      押上プラグ              
８０      旋回柄
８１      駆動チューブ            
８２      内ねじ穴
８３      凸縁
【図１】
0003109420.tif 000003
【図２】
0003109420.tif 000004
【図３】
0003109420.tif 000005
【図４】
0003109420.tif 000006
【図５】
0003109420.tif 000007
【図６】
0003109420.tif 000008
【図７】
0003109420.tif 000009